(57)【要約】【課題】内蔵の記録媒体の残記録容量が無くなったとしても撮影データを途切れなく記録できるようにする。【解決手段】ＤＶＣと通信可能なＨＤＤレコーダは、ＤＶＣ内の磁気テープの残記録容量をポーリングにより取得し、磁気テープに記録中の撮影データの後続の撮影データをＨＤＤレコーダ内のハードディスクに記録するべきか否かを判定する。そして、ＨＤＤレコーダは、後続の撮影データを記録するべきだと判定した場合は、ＤＶＣから外部に出力されている撮影データを取り込んで、ハードディスクに記録し始める。【選択図】図５
2007250069.tif 000002
【特許請求の範囲】
【請求項１】
撮影データを記録する内蔵の記録媒体を有する撮影記録装置と通信可能な記録装置であって、
前記内蔵の記録媒体の残りの記録可能性に関する情報を前記撮影記録装置から取得する取得手段と、
前記取得手段により取得した情報に基づいて、前記内蔵の記録媒体に記録中の撮影データの後続の撮影データを前記記録装置により記録するべきか否かを判定する判定手段と、
前記判定手段により前記後続の撮影データを記録するべきだと判定された場合に、該後続の撮影データを当該記録装置内の記録媒体に記録する記録処理を開始する記録制御手段と、
を有することを特徴とする記録装置。
【請求項２】
前記内蔵の記録媒体の残りの記録可能性に関する情報は、該内蔵の記録媒体に対して記録可能な残りの記録容量であることを特徴とする請求項１に記載の記録装置。
【請求項３】
前記内蔵の記録媒体の残りの記録可能性に関する情報は、該内蔵の記録媒体に対して記録可能な残りの記録時間であることを特徴とする請求項１に記載の記録装置。
【請求項４】
前記取得手段は、前記内蔵の記録可能性に関する情報を取得する時間間隔を短縮していく短縮手段を有することを特徴とする請求項１〜３の何れかに記載の記録装置。
【請求項５】
前記撮影データは、前記内蔵の記録媒体への記録開始の時点からネットワーク上に出力され始めていることを特徴とする請求項１〜４の何れかに記載の記録装置。
【請求項６】
前記判定手段は、前記記録中の一連の撮影データの記録漏れを起こさないことを条件として、前記後続の撮影データを前記記録装置により記録するべきか否かを判定することを特徴とする請求項１〜５の何れかに記載の記録装置。
【請求項７】
前記判定手段は、前記内蔵の記録媒体の残りの記録可能性が無くなる前の段階で前記後続の撮影データを前記記録装置により記録するべきであると判定することを特徴とする請求項１〜６の何れかに記載の記録装置。
【請求項８】
撮影データを記録する内蔵の記録媒体を有する撮影記録装置と通信可能な記録装置の制御方法であって、
前記内蔵の記録媒体の残りの記録可能性に関する情報を前記撮影記録装置から取得する取得工程と、
前記取得工程により取得した情報に基づいて、前記内蔵の記録媒体に記録中の撮影データの後続の撮影データを前記記録装置により記録するべきか否かを判定する判定工程と、
前記判定工程により前記後続の撮影データを記録するべきだと判定された場合に、該後続の撮影データを当該記録装置内の記録媒体に記録する記録処理を開始する記録制御工程と、
を有することを特徴とする制御方法。
【請求項９】
請求項８に記載の制御方法を実行するプログラム。
【請求項１０】
撮影データを記録する内蔵の記録媒体を有する撮影記録装置であって、
当該撮像記録装置と通信可能な記録装置に対して、前記内蔵の記録媒体に記録する撮影データに係る記録処理を引き継ぐように指示する指示手段と、
前記記録装置からの要求に応じて、撮影データを記録している最中の前記内蔵の記録媒体の残りの記録可能性に関するデータを送信する送信手段と、
を有することを特徴とする撮影記録装置。
【請求項１１】
更に、前記内蔵の記録媒体に撮影データを記録し始めた時点から当該撮影データに係る一連の撮影データをネットワーク上に出力し始める出力制御手段を有することを特徴とする請求項１０に記載の撮影記録装置。
【請求項１２】
撮影データを記録する内蔵の記録媒体を有する撮影記録装置と、該撮影記録装置と通信可能な記録装置とを有する記録システムであって、
前記撮影記録装置は、前記内蔵の記録媒体に記録する撮影データに係る記録処理を引き継ぐように前記記録装置に指示する指示手段と、前記記録装置からの要求に応じて、撮影データを記録している最中の前記内蔵の記録媒体の残りの記録可能性に関する情報を送信する送信手段とを有し、
前記記録装置は、前記内蔵の記録媒体の残りの記録可能性に関する情報を前記撮影記録装置から取得する取得手段と、前記取得手段により取得した情報に基づいて、前記内蔵の記録媒体に記録中の撮影データの後続の撮影データを当該記録装置により記録するべきか否かを判定する判定手段と、前記判定手段により前記後続の撮影データを記録するべきだと判定された場合に、該後続の撮影データを当該記録装置内の記録媒体に記録する記録処理を開始する記録制御手段とを有することを特徴とする記録システム。
【発明の詳細な説明】
【技術分野】
【０００１】
本発明は、撮影データを記録媒体に記録する技術に関し、特に、一連の撮影データを途切れなく記録する技術に関する。
【背景技術】
【０００２】
一般に、デジタルビデオカメラ等の撮影記録装置では、撮影データ、すなわち映像データと音声データを磁気テープなどの内蔵の記録媒体に記録している。また、この種の撮影記録装置では、内蔵の記録媒体に対して記録可能な残りの記録容量（以下、残記録容量という）等が撮影中に表示されるので、ユーザは内蔵の記録媒体の交換時期を知ることができる。
【０００３】
しかしながら、従来の撮影記録装置では、内蔵の記録媒体の残記録容量が無くなって内蔵の記録媒体を交換する場合には、その交換中には撮影処理が中断されていた。このため
、記録媒体を交換した後に撮影処理を再開した場合には、撮影データが途切れた状態で記録されてしまい、記録漏れが生じていた。
【０００４】
この問題を内蔵の記録媒体を複数備えることで解決する発明もなされているが（特許文献１参照）、この発明では、常に必要でなくとも、特殊な内蔵機構を備えることになってしまう。
【特許文献１】特開平１１−３３９４４７
【発明の開示】
【発明が解決しようとする課題】
【０００５】
本発明は、このような背景の下になされたもので、その目的は、特殊な内蔵機構を備えることなく、内蔵の記録媒体の残記録容量が無くなったとしても撮影データを途切れなく記録できるようにすることにある。
【課題を解決するための手段】
【０００６】
上記目的を達成するため、本発明は、撮影データを記録する内蔵の記録媒体を有する撮影記録装置と通信可能な記録装置であって、前記内蔵の記録媒体の残りの記録可能性に関する情報を前記撮影記録装置から取得する取得手段と、前記取得手段により取得した情報に基づいて、前記内蔵の記録媒体に記録中の撮影データの後続の撮影データを前記記録装置により記録するべきか否かを判定する判定手段と、前記判定手段により前記後続の撮影データを記録するべきだと判定された場合に、該後続の撮影データを当該記録装置内の記録媒体に記録する記録処理を開始する記録制御手段とを有することを特徴とする。
【発明の効果】
【０００７】
本発明によれば、特殊な内蔵機構を備えることなく、内蔵の記録媒体の残記録容量が無くなったとしても撮影データを途切れなく記録できるようにすることが可能となる。
【発明を実施するための最良の形態】
【０００８】
以下、本発明を実施するための最良の形態を図面に基づいて説明する。図１は、本発明の実施の形態に係る記録システムを示すシステム構成図である。
【０００９】
図１に示したように、デジタルビデオカメラ（以下、ＤＶＣという）１０１は、デジタル通信が可能な通信ケーブル１０２を介してＨＤＤ（ハードディスクドライブ）レコーダ１０４と接続されている。ＤＶＣ１０１は、内蔵の記録媒体として磁気テープ１０３を有している。
【００１０】
なお、通信ケーブル１０２としては、本実施の形態では、ＩＥＥＥ１３９４ケーブルを想定しているが、無線ＬＡＮ規格に係る無線通信アンテナをＩＥＥＥ１３９４ケーブルの代わりに使用することも可能である。また、ＤＶＣ１０１とＨＤＤレコーダ１０４との間の通信は、ＵＳＢ規格に係る有線或いは無線の通信等、他の規格に準拠した通信を行なうようにしてもよい。
【００１１】
また、図１では、ＤＶＣ１０１に接続する外部記録機器としては、ＨＤＤレコーダ１０４だけを示しているが、他の外部記録機器をＬＡＮ等のネットワークを介して同時に接続してもよい。なお、外部記録機器としては、ＨＤＤレコーダ１０４に限定されることなく、例えばＤＶＤレコーダ等を用いてもよい。
【００１２】
次に、ＤＶＣ１０１の概略構成を図２に基づいて説明する。ＤＶＣ１０１は、撮像部２０１、信号処理回路２０２、表示部２０３、テープ制御回路２０４、ネットワークＩ／Ｆ（インタフェース）部２０５、システムコントローラ２０６、テープ残量検出部２０７、及びユーザＩ／Ｆ部２０８を有している。
【００１３】
撮像部２０１は、各種のレンズ、光電変換素子等を有し、被写体の光学像を電子的な画像（映像）信号に変換して信号処理回路２０２に出力する。信号処理回路２０２は、撮像部２０１から入力された映像信号に対してガンマ補正処理等の信号処理（画像処理）を施し、例えばＤＶ（Ｄｉｇｉｔａｌ  Ｖｉｄｅｏ）フォーマット等の記録用フォーマットに変換してテープ制御回路２０４に出力する。また、信号処理回路２０２は、画像処理された映像データを表示部２０３に表示可能なフォーマットに変換して、表示部２０３に表示する。さらに、信号処理回路２０２は、画像処理された映像データをＨＤＤレコーダ１０４に記録できるように、ＭＰＥＧ等の圧縮処理を施してネットワークＩ／Ｆ部２０５に出力する。
【００１４】
なお、信号処理回路２０２は、音声信号に対する圧縮処理等も行なっており、この処理された音声データも映像データと共に磁気テープ１０３に記録される。以下、映像データと音声データを総称して撮影データと称する。なお、本実施の形態では、撮影処理が開始され、撮影データが磁気テープ１０３に記録され始めるのと同時に、その撮影データをネットワークＩ／Ｆ部２０５を介してネットワークに出力するようにしている。
【００１５】
テープ制御回路２０４は、撮影データを磁気テープ１０３に正しく記録するためのサーボ制御を行なう。また、テープ制御回路２０４は、録画モード（後述する継続記録モードを含む）で撮影を行なう場合は、磁気テープ１０３に対して例えばフレーム毎にタイムコードを記録する。テープ残量検出部２０７は、磁気テープ１０３の残記録容量を検出する。
【００１６】
すなわち、テープ残量検出部２０７は、録画モードで撮影を行なう場合は、テープ制御回路２０４により磁気テープ１０３に記録されるタイムコードに基づいて磁気テープ１０３上の現在の記録位置を認識する。そして、テープ残量検出部２０７は、現在の記録位置と磁気テープ１０３の全体の記録容量とに基づいて、磁気テープ１０３の残記録容量を算出し、表示部２０３に出力する。
【００１７】
なお、テープ残量検出部２０７は、磁気テープ１０３の現在の記録位置、全体の記録容量量、テープ速度に基づいて、磁気テープ１０３の残記録時間を算出し、表示部２０３に出力するように構成してもよい。また、テープ残量検出部２０７は、システムコントローラ２０６の制御の下に、磁気テープ１０３の残記録容量をネットワークＩ／Ｆ部２０５を介して外部に出力する。
【００１８】
システムコントローラ２０６は、上記の各デバイスの動作を全体的に制御する。システムコントローラ２０６は、上記の継続記録モードの下で撮影開始が指示されると、信号処理回路２０２で処理された撮影データを磁気テープ１０３に記録すると共に、ネットワークＩ／Ｆ部２０５を介して外部に出力する。
【００１９】
なお、システムコントローラ２０６は、マイクロコンピュータにより構成され、ＣＰＵ２０６ａ，ＲＯＭ２０６ｂ、ＲＡＭ２０６ｃを有している。ＣＰＵ２０６ａは、ＲＡＭ２０６ｃをワークエリアとして利用しながらＲＯＭ２０６ｂに格納されたプログラムを実行することにより、上記の各種制御を行なう。なお、ＲＯＭ２０６ｂには、後述する図４のフローチャートに対応するプログラムも格納されている。
【００２０】
ユーザＩ／Ｆ部２０８は、撮影の開始や停止を指示するスイッチボタン等の各種の機械的な操作子を有している。また、ユーザＩ／Ｆ部２０８の一部は、表示部２０３と一体に形成された液晶タッチパネルにより構成されている。この液晶タッチパネルには、グラフィカルユーザインタフェース（ＧＵＩ）としてのメニュー画面が表示され、このメニュー画面上で継続記録モード等の各種モードを設定することができる。
【００２１】
次に、ＨＤＤレコーダ１０４の概略構成を、図３に基づいて説明する。ＨＤＤレコーダ１０４は、ネットワークＩ／Ｆ部３０１、システムコントローラ３０２、ユーザＩ／Ｆ部３０３、及び記録部３０４を有している。ネットワークＩ／Ｆ部３０１は、ＤＣＶ１０１と通信するために設けられている。
【００２２】
システムコントローラ３０２は、ネットワークＩ／Ｆ部３０１、ユーザＩ／Ｆ部３０３、記録部３０４を制御する。システムコントローラ３０２は、ＤＶＣ１０１から継続記録モードに移行する旨の通知を受けた場合は、磁気テープ１０３の残記録容量をＤＶＣ１０１に問い合わせる。そして、システムコントローラ３０２は、その残記録容量が所定の閾値以下になった時点から、ＤＶＣ１０１からネットワーク上に出力されている撮影データを取り込んで、記録部３０４のハードディスク３０４ａに記録し始めるように制御する。
【００２３】
すなわち、本実施の形態では、磁気テープ１０３の残記録容量が無くなるような場合でも、撮影を一旦中止して磁気テープ１０３を交換することなく、撮影データを継続して記録するようにしている。そこで、以後、ＤＶＣ１０１に接続されたＨＤＤレコーダ１０４等の記録機器を継続記録機器と呼ぶこととする。
【００２４】
なお、システムコントローラ３０２は、マイクロコンピュータにより構成され、ＣＰＵ３０２ａ，ＲＯＭ３０２ｂ、ＲＡＭ３０２ｃを有している。ＣＰＵ３０２ａは、ＲＡＭ３０２ｃをワークエリアとして利用しながらＲＯＭ３０２ｂに格納されたプログラムを実行することにより、上記の各種制御を行なう。なお、ＲＯＭ３０２ｂには、後述する図５のフローチャートに対応するプログラムも格納されている。
【００２５】
次に、ＤＶＣ１０１による継続記録モードでの撮影記録処理を、図４のフローチャートに基づいて説明する。
【００２６】
ＤＶＣ１０１のシステムコントローラ２０６は、まず、前述のメニュー画面上で継続記録モードが設定されたか否かを判別する（ステップＳ１）。その結果、継続記録モードが設定されなかった場合は、本継続記録モードでの撮影記録処理を行なうことなく終了する。
【００２７】
一方、継続記録モードが設定された場合は、システムコントローラ２０６は、当該ＤＶＣ１０１が接続されているネットワーク上に継続記録可能な機器が存在するか否かを判別する（ステップＳ２）。なお、ステップＳ２では、ジョブ待ち状態の継続記録機器を探索している。
【００２８】
また、ジョブ待ち状態の複数の継続記録機器が存在している場合は、その中からシステムコントローラ２０６が所定の基準で１台を選択して、その機器名等を表示部２０３に表示することも可能である。或いは、システムコントローラ２０６は、ジョブ待ち状態の複数の継続記録機器の機器名等を、選択可能な状態で表示部２０３に表示するようにしてもよい。
【００２９】
ステップＳ２にて、継続記録可能な機器が存在していると判別された場合は、システムコントローラ２０６は、磁気テープ１０３の残記録容量が無くなったとしても、撮影動作を一旦中止して磁気テープ１０３を交換することなく、撮影動作の継続、及び撮影データの継続記録が可能である旨を表示部２０３に表示する（ステップＳ３）。
【００３０】
この場合、システムコントローラ２０６は、ジョブ待ち状態の複数の継続記録機器の中から選択した機器の機器名、或いはジョブ待ち状態の継続記録機器が１台しか存在しなかった場合はその機器の機器名も表示することにより、継続記録を行なう機器をユーザに報知する。以下、継続記録を行なう機器のことを、継続記録実行機器と称する。
【００３１】
次に、システムコントローラ２０６は、ユーザＩ／Ｆ部２０８を介して撮影開始の操作がなされたか否かを判別し（ステップＳ４）、撮影開始の操作がなされなかった場合は、ステップＳ１に戻る。
【００３２】
一方、撮影開始の操作がなされた場合は、システムコントローラ２０６は、継続記録実行機器に対して、継続記録モードに移行する旨を通知すると共に、撮影処理を開始する（ステップＳ５）。なお、この撮影処理においては、システムコントローラ２０６は、撮影データを磁気テープ１０３に記録すると共にネットワークＩ／Ｆ部２０５を介して外部に出力するように制御する。また、ステップＳ５の撮影処理では、磁気テープ１０３に対する記録処理は、撮影の終了が指示されない限りその残記録容量が無くなるまで行ない、残記録容量が無くなった時点で、磁気テープ１０３に対する記録処理を停止する。
【００３３】
次に、システムコントローラ２０６は、磁気テープ１０３の残記録容量の問合わせが継続記録実行機器から有ったか否かを判別する（ステップＳ６）。その結果、磁気テープ１０３の残記録容量の問合わせが有った場合は、システムコントローラ２０６は、現時点での磁気テープ１０３の残記録容量を継続記録実行機器に通知するように、テープ残量検出部２０７、ネットワークＩ／Ｆ部２０５を制御して（ステップＳ７）、ステップＳ８に進む。磁気テープ１０３の残記録容量の問合わせが無かった場合は、システムコントローラ２０６は、ステップＳ７をスキップして、ステップＳ８に進む。
【００３４】
なお、前述のように、録画モード、すなわち継続記録モードで撮影を行なう場合は、テープ残量検出部２０７は、常時、磁気テープ１０３に記録されるタイムコードと磁気テープ１０３の全体の記録容量量とに基づいて磁気テープ１０３の残記録容量を算出し、表示部２０３に表示している。従って、テープ残量検出部２０７は、システムコントローラ２０６の要求に応じて改めて磁気テープ１０３の残記録容量を算出することなく、表示のために常時算出している残記録容量をネットワークＩ／Ｆ部２０５に出力するだけでよい。
【００３５】
ステップＳ８では、システムコントローラ２０６は、撮影終了指示の操作の有無を判別する。その結果、撮影終了指示の操作が無ければ、システムコントローラ２０６は、ステップＳ６に戻り、再度、磁気テープ１０３の残記録容量の問合せの有無を判別する。一方、撮影終了指示の操作が有れば、システムコントローラ２０６は、撮影を終了する旨を継続記録実行機器に通知して（ステップＳ９）、本継続記録モードでの撮影記録処理を終了する。
【００３６】
ステップＳ２にて、ジョブ待ち状態の継続記録機器が存在しないと判別された場合は、システムコントローラ２０６は、継続記録ができない旨を表示部２０３に表示する（ステップＳ１０）。そして、システムコントローラ２０６は、撮影開始の操作がなされるのを待って（ステップＳ１１）、通常の撮影処理を開始する（ステップＳ１２）。次に、システムコントローラ２０６は、前述のステップＳ８に進む。
【００３７】
なお、システムコントローラ２０６は、ステップＳ１２の通常の撮影処理においては、撮影データを磁気テープ１０３に記録すると共にネットワークＩ／Ｆ部２０５を介して外部に出力するように制御する。このように、通常の撮影処理、すなわち、ジョブ待ち状態の継続記録機器が存在しない場合にも、撮影データを外部に出力する意義は、次のような点にある。
【００３８】
すなわち、ステップＳ１２での撮影データの外部出力は、ステップＳ２の判別処理の時点でジョブ待ち状態であっても、そのジョブの実行が撮影中に完了した継続記録機器が有った場合に、この機器により継続記録を行なうことを考慮したものである。ただし、この場合は、ステップＳ８にて撮影終了の操作が無いと判別された場合に、ステップＳ２と同様の判別処理を行い、ジョブ実行状態からジョブ待ち状態に変化した継続記録機器が有れば、その機器に対してＤＶＣ１０１が継続記録モードで撮影を行なっている旨を通知する必要がある。また、当該機器の機器名を表示部２０３に表示して継続記録が可能になった旨をユーザに報知する必要がある。
【００３９】
この場合、後述の閾値等の関係で、磁気テープ１０３と当該機器の記録媒体との間で撮影データが途切れてしまうことも想定される。そこで、撮影データが途切れて記録される場合には、その旨を表示部２０３に表示し、この途切れた状態が発生してもユーザが継続記録を希望する場合に限り継続記録モードで撮影を行なっている旨を当該継続記録機器に通知して、継続記録を実行させるようにするのが望ましい。
【００４０】
次に、図１に示したＨＤＤレコーダ１０４の処理、すなわち、継続記録機器での継続記録処理を、図５のフローチャートに基づいて説明する。ここでは、継続記録機器がＨＤＤレコーダ１０４であるものとして説明する。
【００４１】
ＨＤＤレコーダ１０４のシステムコントローラ３０２は、継続記録モードへの移行の通知がＤＶＣ１０１から有ったか否かを判別する（ステップＳ２１）。その結果、継続記録モードへの移行の通知が無ければ、システムコントローラ３０２は、本継続記録処理を終了する。なお、システムコントローラ３０２は、ＨＤＤレコーダ１０４がジョブ待ち状態の場合は、ステップＳ２１での継続記録モードへの移行の通知を常時監視している。
【００４２】
ステップＳ２１にて、継続記録モードへの移行の通知が有ったと判別された場合は、システムコントローラ３０２は、ポーリングの時期が到来するのを待つ（ステップＳ２２）。そして、ポーリングの時期が到来すると、システムコントローラ３０２は、ＤＶＣ１０１との間でポーリングを行なうことにより、磁気テープ１０３の残記録容量を問合せて取得する（ステップＳ２３）。  
【００４３】
そして、システムコントローラ３０２は、取得した磁気テープ１０３の残記録容量が、当該ＨＤＤレコーダ１０４に予め設定された継続記録開始用の閾値以下であるか否かを判別する（ステップＳ２４）。その結果、残記録容量が継続記録開始用の閾値より多ければ、ポーリング間隔を所定量だけ短縮して（ステップＳ２５）、ステップＳ２２に戻る。
【００４４】
すなわち、システムコントローラ３０２は、磁気テープ１０３の残記録容量が継続記録開始用の閾値に達するまでの間は、ポーリング間隔を徐々に短縮していく。これにより、ＤＶＣ１０１のシステムコントローラ２０６とＨＤＤレコーダ１０４のシステムコントローラ３０２の処理負担を軽減しつつ、撮影データの記録漏れを確実に防止することが可能になる。
【００４５】
なお、ステップＳ２５では所定量だけ短縮している、すなわちポーリングを行なう毎にポーリング間隔を一定量がけ短縮しているが、この短縮量は、取得した磁気テープ１０３の残記録容量に応じて決定することも可能である。この場合は、残記録容量が非常に大きい場合はポーリング間隔を非常に長くし、残記録容量が非常に小さい場合はポーリング間隔を非常に短くすることにより、システムコントローラ２０６，３０２の処理負担をより一層軽減しつつ、撮影データの記録漏れをより一層確実に防止することが可能になる。
【００４６】
ステップＳ２４にて、磁気テープ１０３の残記録容量が継続記録開始用の閾値以下であると判別された場合は、システムコントローラ３０２は、撮影データを記録部３０４にて継続記録する継続記録処理を開始する（ステップＳ２６）。この場合、システムコントローラ３０２は、システムコントローラ３０２は、ネットワーク上に出力されている撮影データをネットワークＩ／Ｆ部３０１を介して取り込み、記録部３０４にてハードディスク３０４ａに記録するように制御する。
【００４７】
次に、システムコントローラ３０２は、ＤＶＣ１０１から撮影終了の通知が有ったか否かを判別し（ステップＳ２７）、撮影終了の通知が有った場合は、本継続記録処理を終了する。一方、撮影終了の通知が無かった場合は、システムコントローラ３０２は、さらに当該ＨＤＤレコーダ１０４のユーザＩ／Ｆ部３０３の操作により記録処理の停止が指示されたか否かを判別する（ステップＳ２８）。
【００４８】
その結果、記録処理の停止が指示されていなければ、システムコントローラ３０２は、ステップＳ２６に戻り、撮影データのハードディスク３０４ａへの継続記録処理を続行する。一方、記録処理の停止が指示されている場合は、システムコントローラ３０２は、本継続記録処理を終了する。
【００４９】
［その他の実施の形態］
第１の実施の形態では、内蔵の磁気テープ１０３の残記録容量が無くなるまで磁気テープ１０３に撮影データを記録していたが、磁気テープ１０３の残記録容量が無くなる前に磁気テープ１０３に対する記録を終了することも可能である。すなわち、磁気テープ１０３の最終端まで撮影データを記録せずに、磁気テープ１０３の記録可能容量が残っている段階で継続記録機器での撮影データの継続記録処理を開始させることが可能である。
【００５０】
また、継続記録機器での撮影データの継続記録処理が開始された後は、磁気テープ１０３に対する撮影データの記録処理を停止することにより、磁気テープ１０３を他の映像データのために有効利用することも可能である。ただし、継続記録機器による撮影データの継続記録処理が開始された直後の数フレーム（例えば２〜３フレーム）の撮影データを磁気テープ１０３に記録することは、撮影データの記録漏れを確実に防止するために有効である。さらに、磁気テープ１０３に対する記録終了のタイミングを、ユーザＩ／Ｆ部２０８の操作により、撮影中に変更できるように構成してもよい。
【００５１】
なお、以上のように磁気テープ１０３の残記録容量が無くなる前に磁気テープ１０３に対する記録を終了する場合は、その終了タイミングを継続記録機器に通知し、継続記録機器側では、その終了タイミングに応じて継続記録を開始するための閾値を変更するのが望ましい。また、ＤＶＣ１０１におけるメニュー画面上で、磁気テープ１０３に対する記録処理の停止タイミング、継続記録機器での記録開始のタイミング、ＤＶＣ１０１と継続記録機器での撮影データの合計の記録時間を設定できるように構成してもよい。
【００５２】
さらに、ＤＶＣ１０１では、磁気テープ１０３に撮影データを記録し始めた当初から撮影データを外部に出力することなく、継続記録機器から撮影データの送信要求があった時点から撮影データを当該継続記録機器に送信することも可能である。
【００５３】
また、ＤＶＣ側では、磁気テープ１０３の残記録容量、残記録時間等の記録可能性に関する情報を送信することなく、タイムコードを送信することにより、ＤＶＣ側でテープ残量検出部２０７を配備しなくても済むようにしてもよい。
【００５４】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５５】
この場合、記憶媒体から読み出されたプログラムコード自体が前述した各実施の形態の機能を実現することになり、そのプログラムコード及び該プログラムコードを記憶した記憶媒体は本発明を構成することになる。
【００５６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５７】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００５９】
【図１】本発明の実施の形態に係る記録システムを示すシステム構成図である。
【図２】図１におけるＤＶＣの概略構成を示すブロック図である。
【図３】図１におけるＨＤＤレコーダの概略構成を示すブロック図である。
【図４】ＤＶＣにおける継続記録モードでの撮影記録処理を示すフローチャートである。
【図５】ＨＤＤレコーダにおける継続記録処理を示すフローチャートである。
【符号の説明】
【００６０】
１０１…ＤＶＣ（デジタルビデオカメラ）、１０２…通信ケーブル、１０３…内蔵の磁気テープ、１０４…ＨＤＤレコーダ、２０２…信号処理回路、２０３…表示部、２０６，３０２…システムコントローラ、２０５，３０１…ネットワークＩ／Ｆ部、２０７…テープ残量検出部
【図１】
2007250069.tif 000003
【図２】
2007250069.tif 000004
【図３】
2007250069.tif 000005
【図４】
2007250069.tif 000006
【図５】
2007250069.tif 000007